(57)【特許請求の範囲】
【請求項１】
前端が下方へ傾斜した上面部に吸込口を備え、上面部の奥行きよりも狭い下面部前方および前面部下方に掛けて吹出口を備え、前記前面部下方には風向板を備え、これら吸込口と吹出口とを結ぶ空気通路に熱交換器と送風ファンとを備える本体部と、同本体部の前記上面部の前端と前記下面部の前端を結ぶ傾斜した前記前面部に可動パネルを装着してなり、水平吹出時は、前記可動パネルが前記本体部から離間せずに、上方であって前方へスライドして前記吹出口に連続することにより可動パネルの前面側が吹出空気を導くガイドを構成し、垂直吹出時は、前記風向板が下向きに回転すると共に前記可動パネルは下方であって後方へスライドして可動パネルの背面側が吹出空気を導くガイドを構成してなることを特徴とする空気調和機。
【請求項２】
前記可動パネルが、上下方向に湾曲されることにより前方に対して凹面状に形成されてなること特徴とする請求項１に記載の空気調和機。
【発明の詳細な説明】
【技術分野】
【０００１】
本発明は、壁掛け式の空気調和機に係わり、より詳細には、上下にスライド可能な可動パネルを備えて壁面から突出したことによる視覚的な圧迫感を和らげるようにし、同可動パネルをスライドさせることにより吹出口に連続するガイドを構成して送風性能を高めると共に、被空調室の天井面近傍の空気を吸込口から効率よく吸い込めるようにしたものに関する。
【背景技術】
【０００２】
従来の壁掛け式の空気調和機には、暖気あるいは冷気を被空調室内にむらなく、すみずみまで到達させることができるものとして、特許文献１の図１および図８で示すように、空気調和機本体の前面部および上面部に吸込口を備え、下面部に吹出口を備えると共に、これら吸込口と吹出口とを結ぶ空気通路に熱交換器および送風ファンを設けた構成でなり、被空調室の壁面の上位部であって天井面の近傍に壁掛け設置されるようになっていた（例えば、特許文献１参照。）。
【０００３】
上記構成でなる空気調和機が、図５（Ａ）および図５（Ｂ）で示すように、被空調室の壁面Ａの上位部であって天井面Ｂの近傍に壁掛け設置された際、前面部（および上面部１）の吸込口２の桟および吹出口４が常に外観に現れているということもあって、空気調和機全体が前記壁面Ａから前方に突出していることによる視覚的な圧迫感があった。
【０００４】
また、前記上面部１の吸込口２を前記天井面Ｂに近接させて壁掛け設置した場合には、図５（Ｂ）で示すように前記上面部１と前記天井面Ｂとの間が狭くなって、前記上面部１の吸込口２からは室内空気を効率よく吸い込むことができにくいという問題点があった。
【０００５】
上記構成により、運転停止時には、図６（Ａ）で示すように前記吹出口４が上下風向板１０および１１によって閉塞されているが、例えば冷房運転による水平吹出時には、図６（Ｂ）で示すように前記上下風向板１０および１１が水平位置に回動していることから、熱交換器５で熱交換され送風ファン６で前記吹出口４から送出される吹出冷気の一部が、前記前面部の吸込口２から吸い込まれショートサーキットして熱交換効率が低下してしまうおそれがあり、また暖房運転による垂直吹出時には、図６（Ｃ）で示すように前記上下風向板１０および１１が垂直位置に回動していることから、熱交換器５で熱交換され送風ファン６で前記吹出口４から送出される吹出暖気が、前記上下風向板１０および１１により下方に向けて急激に風向偏向されるため、該箇所における送風効率が低下してしまうという問題点を有していた。
【０００６】
そのため、意匠性を高めつつ、開閉体により吸込空気量に応じて本体の前面部の吸込口を開閉するものとして、例えば本体の前面上部および上面部に設けられた吸込口から多量の空気を吸い込む際、開閉体を駆動モータで駆動し、この開閉体の上部と可動パネルとを離間して前面上部の吸込口から室内空気を吸い込めるようにしたものがあった（例えば、特許文献２参照。）。
【０００７】
しかしながら、本体上部が天井面に近接している場合には、基本的には特許文献１の場合と同様であって、本体上部と天井面との間に吸込空気を多量に導くための充分な流通路が確保できにくく、また、空気調和機全体が壁面から前方に突出していることにより視覚的な圧迫感を感じさせて、被空調室のインテリアに調和しにくいという問題点を有していた。
【０００８】
なお、被空調室に調和空気を吹き出すための吹出口は、特許文献１の場合と同様であって、水平方向と垂直方向の両方への吹き出しを意識した構成になっており、吹出口に設けられた上下風向板でのみ風向を制御していることから、風向調節範囲が狭くなるため、例えば効果的に風向偏向をして水平方向の遠方への送風や垂直方向への送風を充分に行えないという問題点を有していた。
【０００９】
また、意匠文献１で示すように、曲面状の可動パネルで空気調和機本体をカバーしたものが認められ、意匠文献２で示すように、上下にスライドする可動パネルで空気調和機本体をカバーしたものが認められ、意匠文献３で示すように、上下に回動する可動パネルで空気調和機本体をカバーしたものが認められるが、これらは何れの場合にも、可動パネルが前記吹出口に連続する吹出路の一部を構成して送風効率を高めるようにはなっていなかった（例えば、特許文献３〜特許文献５参照。）。
【００１０】
そこで、室内空気を吸込口から効率よく吸い込めるようにし、ショートサーキットするおそれをなくし、また、吸込口の桟や吹出口が常に外観に現れないように可動パネルでカバーして視覚的な圧迫感を感じさせないようにすると共に、例えば前記可動パネルが前記吹出口に連続するガイドの一部を構成するようにして送風効率を高め、効果的に風向偏向をして水平方向の遠方への送風や垂直方向への送風を充分に行えるようにすることが望まれていた。
【特許文献１】特開２００３−６５５９１号公報（第１頁〜第４頁、第１図〜第８図）
【特許文献２】特開２０００−２３４７６０号公報（第１頁〜第８頁、第１図〜第２図）
【特許文献３】登録意匠番号−１１７８５４７号公報
【特許文献４】登録意匠番号−１１９３５７９号公報
【特許文献５】登録意匠番号−１１５１８９９号公報
【発明の開示】
【発明が解決しようとする課題】
【００１１】
本発明は上記の問題点に鑑み、上下にスライド可能な可動パネルを備えて壁面から突出したことによる視覚的な圧迫感を和らげるようにし、同可動パネルをスライドさせることにより吹出口に連続するガイドを構成して送風性能を高めると共に、被空調室の天井面近傍の空気を吸込口から効率よく吸い込めるようにした壁掛け式の空気調和機を提供することを目的とする。
【課題を解決するための手段】
【００１２】
本発明は、上記課題を解決するため、前端が下方へ傾斜した上面部に吸込口を備え、上面部の奥行きよりも狭い下面部前方および前面部下方に掛けて吹出口を備え、前記前面部下方には風向板を備え、これら吸込口と吹出口とを結ぶ空気通路に熱交換器と送風ファンとを備える本体部と、同本体部の前記上面部の前端と前記下面部の前端を結ぶ傾斜した前記前面部に可動パネルを装着してなり、水平吹出時は、前記可動パネルが前記本体部から離間せずに、上方であって前方へスライドして前記吹出口に連続することにより可動パネルの前面側が吹出空気を導くガイドを構成し、垂直吹出時は、前記風向板が下向きに回転すると共に前記可動パネルは下方であって後方へスライドして可動パネルの背面側が吹出空気を導くガイドを構成している。
【００１３】
【００１４】
【００１５】
更に、前記可動パネルが、上下方向に湾曲されることにより前方に対して凹面状に形成されている。
【発明の効果】
【００１６】
本発明によれば、上下にスライド可能な可動パネルを備えたことにより、視覚的な圧迫感を和らげて被空調室のインテリアに調和しやすくなると共に、被空調室の天井面近傍の空気を吸込口から効率よく吸い込めるようにし、且つ可動パネルがスライドすることで吹出口に連続するガイドを構成したことにより、吹出口から吹き出される水平方向の冷気または垂直方向の暖気を効果的に吹き分けることができるようになるので、風向調節範囲が無理なく拡大されて遠方への送風も充分に行えるようになる。
【発明を実施するための最良の形態】
【００１７】
以下、本発明の実施の形態を、添付図面に基づいた実施例として詳細に説明する。
図１は本発明による空気調和機の基本構成を示す説明図で、（Ａ）は正面図、（Ｂ）は側面図、（Ｃ）は側断面図、（Ｄ）は斜視図であり、図２は本発明による空気調和機の可動パネルの事例を示す側面図で、（Ａ）は第一例を、（Ｂ）は第二例を示し、図３は可動パネルのスライド位置と吹出口の上下風向板の一事例を示す側断面図で、（Ａ）は運転停止時の状態を、（Ｂ）は水平吹出時の状態を、（Ｃ）は垂直吹出時の状態を夫々示し、図４は可動パネルのスライド位置と吹出口の上下風向板の他の事例を示す側断面図で、（Ａ）は運転停止時の状態を、（Ｂ）は水平吹出時の状態を、（Ｃ）は垂直吹出時の状態を夫々示す。
【００１８】
本発明による空気調和機の本体部１００は、図１（Ａ）乃至図１（Ｃ）で示すように、側面視で前方に突出し前端１ａに行くにしたがって下方に傾斜させた上面部１と、上面部１の奥行きよりも狭い下面部３と、上面部１の前端１ａと下面部３の前端３ａを結ぶ傾斜した前面部７により扇形を半分にした形状を成している。そして前面部７に可動パネル８をスライド可能に装着して、被空調室の天井面Ｂ近傍の壁面Ａに壁掛け設置される構成になっている。
また、上面部１に吸込口２を備え、前面部７下方と下面部３前方に掛けて吹出口４を備え、これら吸込口２と吹出口４とを結ぶ空気通路に熱交換器５と送風ファン６とを備えている。
【００１９】
前記上面部１は、前記天井面Ｂに近接させて設置した状態であっても、前記前端１ａに行くにしたがって下方に傾斜させたことによって、前記天井面Ｂとの間に前記吸込口２から室内空気を吸い込むための隙間（通風路）を確保できるようになっている。
【００２０】
前記可動パネル８は、第一例として図２（Ａ）で示すように、運転停止時には上端部８ａが前記吸込口２の上方に、下端部８ｂが前記吹出口４の下方に夫々突出するように構成されている。
【００２１】
これによって、本発明による空気調和機本体を被空調室内から見上げた際、図１（Ｄ）で示すように、運転停止時には前記可動パネル８によって本体部１００を見えないよう遮蔽できるようになり、また、前記壁面Ａと前記天井面Ｂとの境界部Ｃも遮蔽できることから、空気調和機本体が前記壁面Ａから突出しているといった視覚的な圧迫感を和らげることができるようになって、被空調室のインテリアに調和しやすくなるという特有の効果を奏することになる。
【００２２】
また、前記可動パネル８は、第二例として図２（Ｂ）で示すように、上下方向に湾曲されることによって前方に対して凹面状に形成されるようにした構成にしてもよく、これらによって、空気調和機本体の視覚的な圧迫感を更に効果的に和らげることができるようになり、また、ユーザの好みや被空調室のインテリアにも対応しやすくなって、意匠性に独自の特徴をもたせた高品位な空気調和機を提供できるようになる。
【実施例１】
【００２３】
前記可動パネル８には、実施例１として図３（Ａ）乃至図３（Ｃ）で示すように、同可動パネル８を上下であって前後にスライドさせる駆動モータや連係歯車などの連係部からなる駆動装置９が連係されており、同駆動装置９によって、運転停止時や、冷房運転による水平吹出時や、暖房運転による垂直吹出時などの運転状態に応じて、前記吹出口４を遮蔽する位置に停止させたり、上下であって前後方向にスライドさせることができるようにした構成になっている。
【００２４】
すなわち、運転停止時には、図３（Ａ）で示すように、前記可動パネル８は、その上端部８ａが前記上面部１の上方に突出し、且つ下端部８ｂが前記下面部３の下方に突出する位置で停止すると共に、前記吹出口４は、同吹出口４に回動自在に設けられ上下方向の風向を偏向するための第一上下風向板１０と、第二上下風向板１１とで閉塞されるようになっている。なお、前記第二上下風向板１１は前記可動パネル８の一部に重合した構成になっている。
【００２５】
また、冷房運転による水平吹出時には、図３（Ｂ）で示すように、前記駆動装置９によって、前記可動パネル８が矢印ｃで示すように上方であって前方にスライドし、前記下端部８ｂが前記吹出口４を開放させる位置で停止すると共に、同吹出口４は、その下方が前記第一上下風向板１０によって閉塞される一方、前方が支軸１１ａを中心に第二上下風向板１１を水平位置に回動することによって開放されるようになっている。
【００２６】
これによって、矢印ａのように、前記天井面Ｂと前記上面部１との間に確保された隙間（通風路）により、前記吸込口２から吸い込まれた吸込空気を前記熱交換器５によって熱交換したのち、前記送風ファン６により、矢印ｂのように、開放された前記吹出口４から被空調室に冷気を吹き出せるようになる。
【００２７】
その際、前記可動パネル８の上端部８ａが上方であって前方に大きく突出していることから、吹出冷気が前記吸込口２に回り込むといった所謂ショートサーキットの現象を起こしてしまうということがない。
【００２８】
前記第一上下風向板１０は、前記吹出口４の一部（下部）を構成したことによって、同吹出口４を水平方向に延びる送風路として形成できることになって送風効率を向上できるようになり、また、前記第一上下風向板１０によって水平方向に風向偏向された吹出冷気の一部は、スライドした前記可動パネル８の前面側８ｃが前記吹出口４に連続するガイドとして構成されることにより、このガイドとしての可動パネル８に沿って吹き出されるようになるので、所謂冷気落ちを起こすことなく、送風効率を高めて遠方まで吹出冷気を届かせることができる。
【００２９】
そして、暖房運転による垂直吹出時には、図３（Ｃ）で示すように、前記駆動装置９によって、前記可動パネル８が矢印ｄで示すように下方であって後方にスライドし、前記下端部８ｂが前記吹出口４の前方を閉塞させる位置で停止すると共に、同吹出口４は、その下方が支軸１０ａを中心に第一上下風向板１０を垂直位置に回動することによって開放されるようになっている。
【００３０】
これによって、矢印ａのように、前記天井面Ｂと前記上面１との間に確保された隙間（通風路）により、前記吸込口２から吸い込まれた吸込空気を前記熱交換器５によって熱交換したのち、前記送風ファン６により、矢印ｂ’のように、開放された前記吹出口４から被空調室の下方に暖気を吹き出せるようになる。
【００３１】
その際、前記可動パネル８が下方であって後方に大きく突出していることから、同前記可動パネル８の背面側８ｄと前記第一上下風向板１０とで、前記吹出口４に連続して垂直方向に延びる吹出路を構成できることになり、送風効率を高めることができるようになって吹出暖気が垂直方向に効率よく導かれることになる。
【００３２】
なお、前記可動パネル８は、上下方向に湾曲されることにより凹面状に形成されているので、例えば冷房運転による水平吹出時には、吹出口における吹出冷気が抵抗なく吹き出されるようになると共に、前記上端部８ａに沿った吹出冷気は、天井面Ｂに向かうことなく水平方向の遠方に向けて効果的に偏向されることになる。
【００３３】
また、暖房運転による垂直吹出時には、前記可動パネル８の背面側８ｄと前記第一上下風向板１０とで、図３（Ｃ）で示すように前記吹出口４に連続する吹出路をノズルのような形状に構成できるので、効果的な足元暖房を実現できることになる。
【実施例２】
【００３４】
次に、実施例２として、とくに前記第二上下風向板１１の支軸１１ａの位置を変更した場合の構成について説明する。
【００３５】
なお、運転停止時および垂直吹出時における前記可動パネル８と、前記第一上下風向板１０および前記第二上下風向板１１との組合せについては、図３（Ａ）および図３（Ｃ）に基づいて説明した実施例１の場合と同様であるため、ここでは図３（Ａ）を図４（Ａ）に、図３（Ｃ）を図４（Ｃ）に夫々置き換えればよいことを述べて詳細な説明は割愛する。
【００３６】
冷房運転による水平吹出時には、図４（Ｂ）で示すように、前記駆動装置９によって、前記可動パネル８が矢印ｃで示すように上方であって前方にスライドし、前記下端部８ｂが前記吹出口４を開放させる位置で停止すると共に、同吹出口４は、その下方が前記第一上下風向板１０によって閉塞される一方、前方が下端位置に設けられた支軸１１ａを中心に第二上下風向板１１を水平位置に回動することによって開放されるようになっており、前記第一上下風向板１０と前記第二上下風向板１１とで、前記吹出口４の一部（下部）を構成すると共に、同吹出口４に連続させた吹出路を形成できるようにした構成になっている。
【００３７】
これによって、矢印ａのように、前記天井面Ｂと前記上面１との間に確保された隙間（通風路）を経て、前記吸込口２から吸い込まれた吸込空気を前記熱交換器５によって熱交換したのち、前記送風ファン６により、矢印ｂのように、開放された前記吹出口４から被空調室に冷気を吹き出せるようになる。
【００３８】
その際、前記可動パネル８の上端部８ａが上方であって前方に大きく突出して前記可動パネル８の前面側８ｃが吹出冷気を導くガイドを構成していることから、実施例１の場合と同様に、吹出冷気が前記吸込口２に回り込むといった所謂ショートサーキットの現象を起こしてしまうということがない。
【００３９】
前記第一上下風向板１０と前記第二上下風向板１１とは、前記吹出口４の一部（下部）を構成したことによって、実施例１の場合よりも更に長い水平方向に延びる送風路を形成できることになって、送風効率を更に向上できるようになり、また、スライドした前記可動パネル８の前面側８ｃが前記吹出口４に連続するガイドとして構成されることにより、吹出冷気の一部はこのガイドとしての可動パネル８に沿って吹き出されるようになるので、実施例１の場合と同様に、所謂冷気落ちを起こすことなく、送風効率を高めて遠方まで吹出冷気を届かせることができる。
【００４０】
以上説明したように、本発明による空気調和機であれば、前記上面部１を前記天井面Ｂに近接させた状態で壁掛け設置しても、同上面部１を前端１ａに行くにしたがって下方に傾斜させたことによって、同天井面Ｂとの間に前記吸込口２から室内空気を吸い込むための隙間（通風路）を確保できるようになり、また、前記可動パネル８をスライドさせることにより前記吹出口４に連続するガイドを構成したことによって、前記吹出口４から吹き出される水平方向の冷気、または垂直方向の暖気を効果的に吹き分けることができるようになるので、風向調節範囲が無理なく拡大されて遠方への送風も充分に行えるようになる。
【図面の簡単な説明】
【００４１】
【図１】本発明による空気調和機の基本構成を示す説明図で、（Ａ）は正面図、（Ｂ）は側面図、（Ｃ）は側断面図であり、（Ｄ）は斜視図である。
【図２】本発明による空気調和機の可動パネルの事例を示す側面図で、（Ａ）は第一例を、（Ｂ）は第二例を示す。
【図３】可動パネルのスライド位置と吹出口の上下風向板の一事例を示す側断面図で、（Ａ）は運転停止時の状態を、（Ｂ）は水平吹出時の状態を、（Ｃ）は垂直吹出時の状態を夫々示す。
【図４】可動パネルのスライド位置と吹出口の上下風向板の他の事例を示す側断面図で、（Ａ）は運転停止時の状態を、（Ｂ）は水平吹出時の状態を、（Ｃ）は垂直吹出時の状態を夫々示す。
【図５】従来例による空気調和機の説明図で、（Ａ）は斜め下方から見た正面図であり、（Ｂ）は側面図である。
【図６】従来例による空気調和機の説明図で、（Ａ）は運転停止時の断面図、（Ｂ）は冷房運転による水平吹出時の断面図であり、（Ｃ）は暖房運転による垂直吹出時の断面図である。
【符号の説明】
【００４２】
Ａ      壁面
Ｂ      天井面
１００  本体部
１      上面部
１ａ    前端
２      吸込口
３      下面部
４      吹出口
５      熱交換器
６      送風ファン
７      前面部
８      可動パネル
８ａ    上端部
８ｂ    下端部
９      パネル駆動装置
１０    第一上下風向板
１０ａ  支軸
１１    第二上下風向板
１１ａ  支軸
【図１】
0004604536.tif 000002
【図２】
0004604536.tif 000003
【図３】
0004604536.tif 000004
【図４】
0004604536.tif 000005
【図５】
0004604536.tif 000006
【図６】
0004604536.tif 000007